(57)【要約】      （修正有）【課題】低コストで多機能なオレンジカッターを提供する。【解決手段】略半円形溝を形成する先端からＶ形状溝を形成する後部に変形していくように、ガイド溝が形成されたステンレスやアルミニウム等の薄金属板よりなる本体と、先端辺に形成されたへた用刄と、前部左右辺に異なる厚みの果物の外皮に対応した深さで切り込むように形成された外皮用刄と、Ｖ形状溝後部中間に刄先が前方に向けて立設された中袋用刄とよりなり、へた用刄はへた外周を回すように切り込むとともに、林檎の芯を切り取るオレンジカッターである。また中袋用刄が本体の一部を切り込み、屈曲させることで形成されたオレンジカッターで、前記と同じ機能を具備した。【選択図】図１
2006346414.tif 000002
【特許請求の範囲】
【請求項１】
略半円形溝を形成する先端からＶ形状溝を形成する後部に、変形していくようにガイド溝が形成されたステンレスやアルミニウム等の薄金属板よりなる本体と、先端辺に形成されたへた用刄と、前部左右側辺に異なる厚みの果物の外皮に対応した深さで切り込むように形成された外皮用刄と、Ｖ形状溝後部中間に刄先が前方に向けて立設された中袋用刄とよりなり、前記へた用刄はへた外周を回すように切り込むとともに、林檎の芯を切り取れるものであることを特徴とするオレンジカッター。
【請求項２】
中袋用刄が、本体の一部を切り込み屈曲させることで形成されたものであることを特徴とする請求項１記載のオレンジカッター。
【発明の詳細な説明】
【技術分野】
【０００１】  本発明は、夏みかん等を食べ易くするために用いるオレンジカッターに関するものである。〔背景技術〕【０００２】  従来のオレンジカッターとしては、本体が型取り成形より成る樹脂よりできたものに、刄を組み合せたものであった。  外皮、へた、中袋を一つの物品で効率的にむくことのできるものはなかった。例外として特許文献１及び特許文献２に示すものがあった。〔特許文献１〕実公昭５８−５５３１号〔特許文献２〕特開２００３−９３２２４号〔発明の開示〕〔発明が解決しようとする課題〕【０００３】  型取り成型が必要な樹脂を利用のものは、高価な型が必要となり、コスト高になっていた。  特許文献１に示すものにあっては、上記課題とあわせて少なくとも２種の外皮用刄肉の異なる外皮をきれいにむくことはできなかった。  特許文献２においては、型は不要であるが構成部品が多数に及ぶための製造工程がかさむとともにコスト高となっていた。〔発明を解決するための手段〕【０００４】  略半円形溝を形成する先端からＶ形状溝を形成する後部に変形していくようにガイド溝が形成されたステンレスやアルミニウム等の薄金属板によりなる本体と、先端辺に形成されたへた用刄と、前部左右辺に異なる厚みの果物の外皮に対応した深さで切り込むように形成された外皮用刄と、Ｖ形状溝後部中間に刄先が前方に向けて立設された中袋用刄とよりなり、前記へた用刄はへた外周を回すように切り込むとともに、林檎の芯を切り取るものであることを特徴とするオレンジカッターである。【０００５】  中袋用刄が本体の一部を切り込み、屈曲させることで形成されたものであることを特徴とする。〔発明の効果〕【０００６】  ステンレスやアルミニウム等の薄金属板を、プレスにより曲折して、先端から半円形溝を形成し、先端辺に形成されたへた用刄が薄いために切り易い。前部左右辺に異なる厚みの果物の外皮に対応した深さで切り込むように外皮用刄が形成されているので、大形な夏みかん、はっさく等も小形のみかんの皮も刄が薄いため容易に切ることができる。半円形溝の前部から後部に変形していくようにガイド溝が形成され、Ｖ形状溝の後部中間に刄先が前方に向けて中袋用刄が立設されており、中袋は切り易い。へた用刄はへたの外周を回すように切り込むとともに、林檎の芯を切り取ることもできる。更に本体を薄金属板で製作できるため、スリムな構造であるため安価に製作することができるとともに、多用途に使用可能である。  また、中袋用刄が本体の一部を切り込み、屈曲させることで構成されたものとすることも可能で、全体の一枚の金属板で製作が可能であるため更に安価に製作することができる。〔発明を実施するための最良の形態〕【０００７】  本発明は、ステンレスやアルミニウム等をプレスにより屈折するが、使用において変形しない金属板を素材として本体１とする。【０００８】  図１において、オレンジカッター本体は、半円形溝２ａを形成する先端からＶ形状溝２ｂを形成する後部に変形していくようにガイド溝が形成されている。Ｖ形状溝２ｂの開放端後部は中袋下部形状に近似した角度と幅よりなる。【０００９】  半円形溝２ａの開放端側辺は、削られてへた用刄４となっている。刄肉が薄いため力を要せずへたを容易に切ると���時に、林檎の芯を切ることもできる。【００１０】  半円形溝２ａの右側辺は、大形な夏みかん外皮用刄３ａとし、左側辺は、小形なみかん外皮用刄３ｂとし、何れも刄先をほぼ直角としてあるため中袋を切らない構造である。夏みかん外皮用刄３ａとみかん外皮用刄３ｂは、切り込む深さが異るように大きさが異る。【００１１】  Ｖ形状溝２の後部の開放端付近の中間に、中袋用刄５が刄先を前方に向けて本体１に立設する。ここでは本体後部中央部に刄挿入用の切り込みが設けられており、図１及び図２に示すように薄板状金属よりなり、先端を刄部とし切り込みから突出させ、他端側を本体辺部に折り曲げ固定し固定部８として装着されている。中袋用刄５が短いために中袋を切るときに差し込んだ中袋の外皮が、両側から左右均一の加圧を得るために、ぶれることなく中袋の下部を真直に切ることができ、更に中袋用刄５が短いためと後部の上部幅が狭いため指先が中袋用刄５に接觸し難いために、安全な機能となっている。【００１２】  前部の先端の半円形溝２ａの右側に、丸い開口部６を設けたために、オレンジカッターが可愛いい動物を感じさせることと、使用後壁の釘に掛けて保管できる。【００１３】  へた用刄４と夏みかん外皮用刄３ａとみかん外皮用刄３ｂの刄先は、研磨紙で殺して切れ味を落とし怪我を防ぐ構造となっている。【００１４】  さらに、図５、図６に示すようにＶ形状溝２の中間に立設する中袋用刄５は、本体の一部を切り込み屈曲させることで形成されることができる。その結果１枚の薄金属板で必要なすべての機能を備えたオレンジカッターを製作することができる。【００１５】  本発明の取り扱い方法について説明する。  大形な夏みかん等の皮をむく場合には、図９に示すように、最初に左手で夏みかんを持ち、右手で夏みかんのへたの外周にへた用刄４を差し込み、下方に少し力を加えて回転するとへたは切れる。切ったへたはへた用刄４をてこにしてしゃくり取ることができる。その後図１０に示すように、へたを切り取った穴に夏みかん外皮用刄３ａを差し込んで手前に引くと外皮は真直に切れる。更に外皮を十字形に切ると外皮ははがし易い。又、みかんの皮もみかん外皮用刄３ｂを使って十字形に切るとよい。外皮をむき、中袋を分別したあと、オレンジカッターの後部を左方に向けて右手で持ち、図１１に示すようにＶ形状溝２ｂの中央に中袋の下部を当てて引くと、中袋の中央が真直に確実に切ることができる。更に、へた用刄４は林檎の芯を切ることもできる。林檎の芯を切る場合は、左手で林檎を持ち、へた用刄４を芯の上部と下部から芯の中心部に向けて力を加えながら回転すると切れる。オレンジカッターを使用したあとは、本機がスリムな構造のために洗い易く、熱にも強く、更に前部に２ａに設けた丸い開口部６を壁に掛けて保管することができる。
【図面の簡単な説明】
【００１６】
【図１】本発明の腹面斜視図
【図２】本発明の背面斜視図
【図３】本発明の腹面縦状斜視図
【図４】本発明のＡ−Ａ端面図
【図５】本発明の腹面縦状斜視図
【図６】本発明の側面斜視図
【図７】本発明の展開図
【図８】本発明のＢ−Ｂ端面図
【図９】使用説明図
【図１０】使用説明図
【図１１】使用説明図
【符合の説明】
【００１７】１    本体２；２ａ；２ｂ    溝３；３ａ；３ｂ    外皮用刄４    へた用刄５    中袋用刄６    開口部７    本体切り込み部８    固定部９    刄折り込み部
【図１】
2006346414.tif 000003
【図２】
2006346414.tif 000004
【図３】
2006346414.tif 000005
【図４】
2006346414.tif 000006
【図５】
2006346414.tif 000007
【図６】
2006346414.tif 000008
【図７】
2006346414.tif 000009
【図８】
2006346414.tif 000010
【図９】
2006346414.tif 000011
【図１０】
2006346414.tif 000012
【図１１】
2006346414.tif 000013
【手続補正書】
【提出日】平成17年10月3日(2005.10.3)
【手続補正１】
【補正対象書類名】図面
【補正対象項目名】図３
【補正方法】変更
【補正の内容】
【図３】
2006346414.tif 000014
【手続補正書】
【提出日】平成18年7月26日(2006.7.26)
【手続補正１】
【補正対象書類名】明細書
【補正対象項目名】０００３
【補正方法】変更
【補正の内容】
【０００３】  型取り成型が必要な樹脂を利用のものは、高価な型が必要となり、コスト高になっていた。
特許文献１に示すものにあっては、上記課題とあわせて少なくとも２種の外皮用皮肉の異なる外皮をきれいにむくことはできなかった。
特許文献２においては、型は不要であるが構成部品が多数に及ぶための製造工程がかさむとともにコスト高となっていた。